(57)【要約】【課題】良好な放熱効率を備え、且つ製造コストを下げるＬＥＤ照明具及びその放熱構造を提供する。【解決手段】放熱構造を備えたＬＥＤ照明具は、ダウンライト、ダウンライト内部に納置するＬＥＤモジュール及びダウンライト外部に被せる放熱構造を含み、ダウンライトは、最上板及び最上板周辺縁から折曲して伸びた側壁を備え、ＬＥＤモジュールは最上板の内側面に接着した回路板及び回路板上に電気連接する複数のＬＥＤを含み、放熱構造は最上板の外側面に接着した蓋板及び蓋板周辺縁から折り曲げて伸び、間を開けて設置した複数の放熱片を備え、且つ放熱片はダウンライトの側壁外側に被せ、側壁と共に放熱通道を形成する。【選択図】図１
0003160000.tif 000002
【実用新案登録請求の範囲】
【請求項１】
ＬＥＤ照明具において、
最上板及び該最上板周辺縁から折曲して伸びた側壁を備えるダウンライトと、
該ダウンライト内部に納置し、該最上板の内側面に接着する回路板及び電性連接在該回路板上に電気連接する複数のＬＥＤを含むＬＥＤモジュールと、
該ダウンライト外部に被せ、該最上板の外側面に接着する蓋板及び該蓋板の周辺縁から折曲して成形する複数の放熱片を備え、これらの放熱片は該ダウンライトの側壁外側に被せ、該側壁と共に放熱通道を形成する放熱構造を含むことを特徴とするＬＥＤ照明具。
【請求項２】
前記ＬＥＤ照明具は、更に透光ライトカバーを含み、前記ダウンライトは開口を備え、該開口箇所には該透光ライトカバーを結合することを特徴とする請求項１記載のＬＥＤ照明具。
【請求項３】
前記蓋板は、複数の第一放熱孔を設置し、これらの第一放熱孔は該蓋板の周辺縁近くに環設し、該ダウンライトの側壁の底端は肩部を形成して伸び、該肩部の末端は外向きに伸びる凸縁があり、これらの放熱片は、該蓋板周辺縁に間を隔てて該肩部上に設置し、各該放熱片は第二放熱孔を成形することを特徴とする請求項１記載のＬＥＤ照明具。
【請求項４】
前記回路板は導線を備え、且つ、前記ダウンライトには穿孔を設置し、該導線は該穿孔に通すことを特徴とする請求項１記載のＬＥＤ照明具。
【請求項５】
前記各該放熱片の末端は自由端で、且つこれらの放熱片は環形の放射状であることを特徴とする請求項１記載のＬＥＤ照明具。
【請求項６】
前記放熱片の末端は、相互に繋がり、カバーリングを形成することを特徴とする請求項１記載のＬＥＤ照明具。
【請求項７】
ＬＥＤ照明具の放熱構造において、
前述のＬＥＤ照明具の一ダウンライト上に被せ、蓋板及び該蓋板周辺縁から折曲して成形した複数の放熱片を含み、これらの放熱片は前述のダウンライトの外側に被せ、前述のダウンライトと共に放熱通道を形成することを特徴とするＬＥＤ照明具の放熱構造。
【請求項８】
前記蓋板は、複数の第一放熱孔を設置し、これらの第一放熱孔は、前記蓋板の周辺縁近くに環設し、これらの放熱片は、前記蓋板周辺縁に間隔を開けて設置し、且つ前記各放熱片は第二放熱孔を設置することを特徴とする請求項７記載のＬＥＤ照明具の放熱構造。
【請求項９】
前記各該放熱片の末端は、自由端で、且つこれらの放熱片は環形放射状に形成することを特徴とする請求項７記載のＬＥＤ照明具及びその放熱構造。
【請求項１０】
前記放熱片の末端は、相互に連接し、カバーリングを形成することを特徴とする請求項７記載のＬＥＤ照明具の放熱構造。
【考案の詳細な説明】
【技術分野】
【０００１】
本考案は、ＬＥＤ照明具に関するもので、特に放熱装置を備えたＬＥＤ照明具に係わる。
【背景技術】
【０００２】
近年来、発光ダイオード(LED)技術は大きく発展し、日々進歩している。また省エネ、使用寿命が長く、体積が小さく、反応が早い等と言う特徴から、従来の電球に徐々に取って代わり将来の主流になると思われる。
【０００３】
一般的に、ＬＥＤの効率は高ければ高いほど、それに伴って廃熱も多くなる。しかしながら、高温はＬＥＤの寿命及び発光効率にとり、非常に大きなマイナス影響を与える。そのため、効率が比較的高いＬＥＤ照明具には大抵放熱構造が設置され、適時高熱を発散している。公知のＬＥＤ放熱構造は、通常照明台の外表面に複数の放熱フィンが設置され、大範囲の放熱面積を備えた放熱フィンによって即座に廃熱を排除する。
【先行技術文献】
【特許文献】
【０００４】
【特許文献１】特開２００９−６４６３６公報
【考案の概要】
【考案が解決しようとする課題】
【０００５】
解決しようとする問題点は、照明台の外表面上に設置した放熱フィンは数量が多く且つ体積が大きい。更に該照明台及び放熱フィンは通常、アルミ絞り加工もしくはダイカスト等で一体成型加工方式で製造される。金型コストは費用が高く且つ製造工程の時間が長い。更にこれらの放熱フィンは運送過程に於いてぶつかって瑕がつきやすく、そのため良品率に影響を与え、それが目下ＬＥＤ照明具の製造コストが高止まりしている原因にもなっている点である。
【０００６】
本考案者は上述の欠点に鑑み、研究を重ね遂に上述の欠点を有効に改善し、良好な放熱効率を備え、且つ製造コストを下げるＬＥＤ照明具及びその放熱構造を提供しようとするものである。
【課題を解決するための手段】
【０００７】
上記課題を解決するために、本考案は、ダウンライト、ダウンライト内部に納置するＬＥＤモジュール及びダウンライト外部に被せる放熱構造を含み、ダウンライトは、最上板及び最上板周辺縁から折曲して伸びた側壁を備える。ＬＥＤモジュールは最上板の内側面に接着した回路板及び回路板上に電気連接する複数のＬＥＤを含み、放熱構造は最上板の外側面に接着した蓋板及び蓋板周辺縁から折り曲げて伸び、間を開けて設置した複数の放熱片を備え、且つ放熱片はダウンライトの側壁外側に被せ、側壁と共に放熱通道を形成することを最も主要な特徴とする。
【考案の効果】
【０００８】
本考案のＬＥＤ照明具及びその放熱構造によれば、良好な放熱効率を備え、且つ製造コストを下げるという利点がある。
【図面の簡単な説明】
【０００９】
【図１】本考案のＬＥＤ照明具の立体外観図である。
【図２】本考案のＬＥＤ照明具の立体分解図である。
【図３】本考案のＬＥＤ照明具の使用指示図である。
【図４】本考案のＬＥＤ照明具の第二実施例である。
【図５】本考案のＬＥＤ照明具の第三実施例である。
【考案を実施するための形態】
【００１０】
良好な放熱効率を備え、且つ製造コストを下げるＬＥＤ照明具を提供することを本考案の一目的とする。
【００１１】
組立が簡単で、加工が容易なＬＥＤ照明具を提供することを本考案の別の一目的とする。  
【００１２】
上述の目的を達成するため、本考案のＬＥＤ照明具は、ダウンライト、ＬＥＤモジュール及び放熱構造を含み、ダウンライトは最上板及び最上板の周辺縁から折曲して伸びた側壁を備え、ＬＥＤモジュールはダウンライト内部に納置する。ＬＥＤモジュールは最上板内側面に接着する回路板及び回路板上で電気連接する複数のＬＥＤを含み、放熱構造はダウンライト外部に被せ、放熱構造は最上板外側面に接着する蓋板及び蓋板周辺縁から折り曲げて成形した複数の放熱片を備え、放熱片はダウンライトの側壁外側に被せ、側壁と共に有効な放熱通道を形成する。
【００１３】
本考案のもうひとつの目的は、ＬＥＤ照明具の放熱構造を提供することで、それはプレス式で製造し、それに対して折曲成型するため、製造コストを下げる。
【００１４】
上述の目的を達成するため、本考案のＬＥＤ照明具の放熱構造は、ＬＥＤ照明具のダウンライト上に被せ、放熱構造は蓋板及び蓋板周辺縁から折曲して成形した複数の放熱片を含み、放熱片はダウンライトの外側で被せ、ダウンライトと共に放熱通道を形成する。
【００１５】
公知と比較すると、本考案のＬＥＤ照明具は、公知のアルミ絞り加工型フィンを放熱構造とするのではなく、その放熱構造の蓋板及び放熱片は先ずプレス式で製造し、次にそれに対して折曲加工し、放熱構造をダウンライト外部のカバー体に成形する。その加工及び組立方式は簡単で、且つ大量の金型を製作する必要がないため、大幅な製造コストダウンを可能にする。更に本考案の放熱構造は、放熱片及びダウンライトの側壁の外の間に放熱通道を形成し、そこから外部の空気を進入させ、一部のＬＥＤモジュールから発生した熱を取り去り、熱空気は更に蓋板の放熱孔からも放熱し、良好な自然対流設計で、更に良好な放熱機能を達成した。これにより、本考案の実用性及び経済性がより高めることができる。
【実施例１】
【００１６】
本考案のＬＥＤ照明具及びその放熱構造の実施例を、図に沿って説明するが、実施例は参考と説明のためであり、本考案を制限するものではない。
【００１７】
図１及び図２に示すのは、本考案の実施例のＬＥＤ照明具の立体外観図及び立体分解図である。本考案のＬＥＤ照明具１は、ダウンライト１０、ＬＥＤモジュール２０、及び放熱構造３０を含む。
【００１８】
該ダウンライト１０は、最上板１１及び該最上板１１周辺縁から折り曲げて伸びた側壁１２を備え、該最上板１１の中間箇所には穿孔１１０を設置する。更に該ダウンライト１０は錐型筒であり、本実施例で、該側壁１２の底縁は別に肩部１３が形成されて伸び、該肩部１３の末端は外向きに凸縁１４が伸びる。
【００１９】
該ＬＥＤモジュール２０は、該ダウンライト１０内部に納置し、回路板２１及び複数のＬＥＤ２２を含む。これらのＬＥＤ２２は該回路板２１上に設置し、該回路板２１と電気連接し、該回路板２１は該ダウンライト１０の最上板１１の内側面に接着し、且つ電源を提供する導線２３を備える。
【００２０】
該放熱構造３０は、該ダウンライト１０外部に被せる。該放熱構造３０は、蓋板３１及び該蓋板３１周辺縁から折り曲げて成形し且つ間を隔てて設置した複数の放熱片３２を含む。該蓋板３１は、該ダウンライト１０の最上板１１外側面に接着し、該最上板１１的穿孔１１０箇所に対応して通孔３１０を設置する。該穿孔１１０及び該通孔３１０には該ＬＥＤモジュール２０の導線２３を挿入し、そのうち、該蓋板３１及び該ダウンライト１０の最上板１１の連接方式はネジ止め、もしくは導熱樹脂等その他の方式で達成する。
【００２１】
更に該蓋板３１は、複数の第一放熱孔３１１を設置する。これらの第一放熱孔３１１は該蓋板３１の周辺縁近くに環設し、更にこれらの放熱片３２は環形放射状で設置し、且つ各該放熱片３２には第二放熱孔３２０を設置し、該放熱片３２の末端は自由端で、且つ該ダウンライト１０の肩部１３を押さえて設置する。
【００２２】
図３に示すのは、本考案のＬＥＤ照明具の使用指示図である。本実施例に於いて、該ＬＥＤ照明具１は、該ダウンライト１０の開口箇所には更に透光ライトカバー４０を設置して蚊、蝿等外物が該ダウンライト１０内部に侵入するのを防止する。図からわかるように、これらの放熱片３２は該ダウンライト１０の側壁１２外側を覆い、該側壁１２と共に放熱通道１００を形成する。これにより、該ＬＥＤ照明具１が光った時、該ＬＥＤモジュール２０から発生する熱は、該回路板２１を経て該ダウンライト１０の最上板１１へ伝導し、更に該最上板１１から該放熱構造３０の蓋板３１上へ伝導し、最後に該蓋板３１の伝導により、該ＬＥＤモジュール２０から発生する熱は、該蓋板３１及びこれらの放熱板３２から放熱する。
【００２３】
この他、該ダウンライト１０の側壁１２及び該放熱構造３０の放熱片３２の間には放熱通道１００が形成される。そのため、外部の空氣が該放熱片３２の第二放熱孔３２０から該放熱通道１００へ進入し、一部の該ＬＥＤモジュール２０から発生した熱を出し、熱空気が形成されると、該蓋板３１に開設された第一放熱孔３１１(図１参照)から放熱される。
【実施例２】
【００２４】
図４は、本考案のＬＥＤ照明具及びその放熱構造の第二実施例である。本実施例と第一実施例はおよそ同じであるが、異なる点は、ＬＥＤ照明具１’の放熱構造３０’の放熱片３２’で、これらの放熱片３２’の末端は相互に連接していてカバーリング３２１’を形成している。該放熱構造３０’を該ダウンライト１０外部に被せると、該カバーリング３２１’は該ダウンライト１０の肩部１３を押さえる。
【実施例３】
【００２５】
図５は、本考案のＬＥＤ照明具及びその放熱構造の第三実施例である。本実施例と第一実施例は凡そ同じであるが、異なる点は、ＬＥＤ照明具１”のＬＥＤモジュール２０”の導線２３”の設置で、本実施例ではダウンライト１０”の側壁１２”上に穿孔１２０”を設置し、該導線２３”を該穿孔１２０”に通した後、次に該放熱構造３０”の放熱片３２”の隙間を通し、外部電源台へ連接する。そのため、ダウンライト１０”の最上板１１”及び放熱構造３０”の蓋板３１”には穿孔を貫設する必要がなく、蚊や蝿などの侵入物が該ダウンライト１０”内部に入るのを防止する効果を備える。
【００２６】
上述の本考案は、良好な実施例であり、本考案の請求範囲を制限するものではなく、その他に本考案の特許精神を運用した同等効果の変化はすべて本考案の請求範囲に属する。
【符号の説明】
【００２７】
１        ＬＥＤ照明具
１０        ダウンライト
１００        放熱通道
１１        最上板
１１０        穿孔
１２        側壁
１３        肩部
１４        凸縁
２０        ＬＥＤモジュール
２１        回路板
２２        ＬＥＤ
２３        導線
３０        放熱構造
３１        蓋板
３１０        通孔
３１１        第一放熱孔
３２        放熱片
３２０        第二放熱孔
５０        透光ライトカバー
１’      ＬＥＤ照明具
３０’      放熱構造
３２’      放熱片
３２１’      カバーリング
１”      ＬＥＤ照明具
１０”      ダウンライト
１１”      最上板
１２”      側壁
１２０”      穿孔
２０”      ＬＥＤモジュール
２３”      導線
３０”      放熱構
３１”      造蓋板
３２”      放熱片
４０        透光ライトカバー
【図１】
0003160000.tif 000003
【図２】
0003160000.tif 000004
【図３】
0003160000.tif 000005
【図４】
0003160000.tif 000006
【図５】
0003160000.tif 000007
【手続補正書】
【提出日】平成22年3月26日(2010.3.26)
【手続補正１】
【補正対象書類名】実用新案登録請求の範囲
【補正対象項目名】全文
【補正方法】変更
【補正の内容】
【実用新案登録請求の範囲】
【請求項１】
ＬＥＤ照明具において、
最上板及び該最上板周辺縁から折曲して伸びた側壁を備えるダウンライトと、
該ダウンライト内部に納置し、該最上板の内側面に接着する回路板及び該回路板上に電気連接する複数のＬＥＤを含むＬＥＤモジュールと、
該ダウンライト外部に被せ、該最上板の外側面に接着する蓋板及び該蓋板の周辺縁から折曲して成形する複数の放熱片を備え、これらの放熱片は該ダウンライトの側壁外側に被せ、該側壁と共に放熱通道を形成する放熱構造を含むことを特徴とするＬＥＤ照明具。
【請求項２】
前記ＬＥＤ照明具は、更に透光ライトカバーを含み、前記ダウンライトは開口を備え、該開口箇所には該透光ライトカバーを結合することを特徴とする請求項１記載のＬＥＤ照明具。
【請求項３】
前記蓋板は、複数の第一放熱孔を設置し、これらの第一放熱孔は該蓋板の周辺縁近くに環設し、該ダウンライトの側壁の底端は肩部を形成して伸び、該肩部の末端は外向きに伸びる凸縁があり、これらの放熱片は、該蓋板周辺縁に間を隔てて該肩部上に設置し、各該放熱片は第二放熱孔を成形することを特徴とする請求項１記載のＬＥＤ照明具。
【請求項４】
前記回路板は導線を備え、且つ、前記ダウンライトには穿孔を設置し、該導線は該穿孔に通すことを特徴とする請求項１記載のＬＥＤ照明具。
【請求項５】
前記各該放熱片の末端は自由端で、且つこれらの放熱片は環形の放射状であることを特徴とする請求項１記載のＬＥＤ照明具。
【請求項６】
前記放熱片の末端は、相互に繋がり、カバーリングを形成することを特徴とする請求項１記載のＬＥＤ照明具。
【請求項７】
ＬＥＤ照明具の放熱構造において、
前述のＬＥＤ照明具のダウンライト上に被せ、蓋板及び該蓋板周辺縁から折曲して成形した複数の放熱片を含み、これらの放熱片は前述のダウンライトの外側に被せ、前述のダウンライトと共に放熱通道を形成することを特徴とするＬＥＤ照明具の放熱構造。
【請求項８】
前記蓋板は、複数の第一放熱孔を設置し、これらの第一放熱孔は、前記蓋板の周辺縁近くに環設し、これらの放熱片は、前記蓋板周辺縁に間隔を開けて設置し、且つ前記各放熱片は第二放熱孔を設置することを特徴とする請求項７記載のＬＥＤ照明具の放熱構造。
【請求項９】
前記各該放熱片の末端は、自由端で、且つこれらの放熱片は環形放射状に形成することを特徴とする請求項７記載のＬＥＤ照明具の放熱構造。
【請求項１０】
前記放熱片の末端は、相互に連接し、カバーリングを形成することを特徴とする請求項７記載のＬＥＤ照明具の放熱構造。